(57)【要約】      （修正有）【課題】  使用するうちに毛先が変形して曲がった場合などには、ブラシを直ちに消却する事無く、鋏みで毛先をカットして整える事ができる歯ブラシを提供する。【解決手段】  柄の端に横１列か２列の毛束を植毛、植毛した毛先は中央を長く左右側へは次第に短く、山形の整毛を施した歯ブラシを作る。【選択図】図１
2006116283.tif 000002
【特許請求の範囲】
【請求項１】
歯ブラシ縦長柄の平らな端に、設けた横列３個の植毛穴に毛束を植毛した３束ブラシ（１）を作り、次に３束ブラシ（１）の中央植毛束から左右の植毛束の毛先を山形に切り揃えて、ブラシの毛先を山形整毛（２）にし、柄の一方の端には接続孔（３）を設けた歯ブラシを作り、使用する過程で毛先が曲がり不具合になると、曲がった毛を鋏みで邪魔な毛をカットし、曲がった毛先や毛先全体のバランス調整を行える歯ブラシ。
【請求項２】
歯ブラシ縦長柄の平らな端に、設けた横列３個と横列中央下１個の植毛穴に毛束を植毛した４束ブラシ（４）を作り、次に４束ブラシ（４）の横列３個中央植毛束から左右の植毛束の毛先を山形に切り揃えて、ブラシの毛先を山形整毛（５）にし、柄の一方の端には上記接続孔（３）を設けた歯ブラシを作り、使用する過程で毛先が曲がり不具合になると、曲がった毛を鋏みで邪魔な毛をカットし、曲がった毛先や毛先全体のバランス調整を行える歯ブラシ。
【請求項３】
繋ぎ柄（６）を作り請求項１．２の接続孔（３）と接続した、使用する過程で毛先が曲がり不具合になると、曲がった毛を鋏みで邪魔な毛をカットし、曲がった毛先や毛先全体のバランス調整を行える歯ブラシ。
【発明の詳細な説明】
【技術分野】
【０００１】  本発明は、歯磨き効果を第１に考えて発明した歯ブラシ装置とその製法に関する。
【背景技術】
【０００２】  良い歯ブラシの条件は、取り扱いが簡便であり、使用者が日常生活環境の中で、歯疾患の予防と健康な歯を維持する実のある効果的歯磨き行動を、合理的で無理なく習慣的に使える小道具である事である。
しかし、従来の歯ブラシは歯科衛生に不可欠な生活必需品でありながら、全体の形状や持ち易さにこだわった物が多く、植毛数がやたら多くて雑菌が密集繁殖し易い物が多い。しかも、高価な歯ブラシであっても毛が曲がると直ちに消却してしまい資源の無駄使いをしている。
従来歯ブラシ性能の悪さ、歯磨き習慣の悪さから歯磨き回数が増えない事などを原因とする歯科衛生状態の悪さは、永年改善されていない深刻な問題がある。
従来の歯ブラシは歯全体を部分的に捕らえながらブラッシングするが、歯の間に入り込んだ残渣を密な植毛である程度捕らえるが、歯間に頑固に入り込んだ残渣を的確に除去するには不向きで、爪楊枝を使って除去しなければならない事がしばしばある。痒い所に手が届かない！と等しい問題であり、密な植毛ブラシは健康を害する雑菌が繁殖し易い問題を伴う。【０００３】  従来歯ブラシを用いた歯磨きは頻繁に使用する事は（歯磨き剤や水にコップ洗面設備等を必要とするから）到底出来難いことが、現代生活住環境に当てはめると判る。
従来歯ブラシを用いる歯磨き習慣は現代の生活住環境においては不適であり、頻繁に使う事が困難であるから１日１〜２回しか歯ブラシを使えないのが現状である。
現代人は歯を汚し放置する時間が長すぎる！其の時その場で使える歯ブラシが無い！従来の高級高額な歯ブラシが、朝の起床時か就寝前の挨拶代わりに使われているのであれば、歯磨きの在り方に警鐘を鳴らさなければ成らない。【０００４】  従来歯ブラシ達は目を引くデザインにばかりこだわり、歯ブラシが歯科疾患を予防し易い歯ブラシ、消費者が使い易い歯ブラシを提供して、悪しき歯科衛生状態が年々好転させる用具の研究開発製造販売に努力しなかった問題がある。
【発明の開示】
【発明が解決しようとする課題】
【０００５】  安価で携行にすぐれ、植毛の量を極力少なくして歯を磨いた時に付着する食物残渣を除き易く雑菌が留まり難い衛生的でシンプルな歯ブラシ、其の時その場で咄嗟に使える歯ブラシ、外食中に食物残渣が歯に引っかかっても咄嗟に使って除去できる歯ブラシ、歯ブラシの毛先が傷んだら自分で鋏みを使い傷んだ部位を修正カットして再び使える歯ブラシ、自分で毛を整毛できる歯ブラシ、水や磨き剤を一切使用する事なしに使える歯ブラシ、使用者達の歯科衛生状態を最上の状態に維持する事を無理な実行できる歯ブラシの提供をする。
【課題を解決する為の手段】
【０００６】  従来から在る問題を解決する為には、歯を汚した後咄嗟に場所や時間に関係なく、歯を磨きたい時に問題なく歯を磨ける歯ブラシを作る。
人は平均１日の内に、三度の食事以外２回ほど歯を汚すから、歯ブラシは１日五回以上の歯磨きが容易に行える歯ブラシを作る。
其の歯ブラシは従来の概念を払い、毛先を山形に整毛したシンプルで歯間にフィットして使い易い歯ブラシを提供する。
ブラシの毛先が消耗したら自分で鋏みを使って整毛できる歯ブラシ。山形に整毛裁断してない１列３束ブラシや２列６束ブラシ３列９束ブラシなど植毛束数９束以内の少ない束ブラシであれば自分で山形の整毛するのが良い。
整毛を繰り返し毛先が短く成ったら歯茎マッサージ用のブラシとして有効に使える歯ブラシ。使うと日に日に歯が丈夫に美しくなっている事が実感できる歯ブラシ。安価で求め易く何時も携行したくなる歯ブラシ。繊維や筋が多い高級料理が出される食事会が苦にならない、失われつつあった食感が新鮮に伝わり、味覚が蘇えるなど健康生活に著しい効果が表われる安価な歯ブラシの提供をする。
【発明の効果】
【０００７】  歯の健康が命の健康を握っていると申しても過言ではない。本発明の歯ブラシは従来の歯ブラシにある概念や、今日までの歯磨き習慣が現代社会生活において適さない部分が多く、否定する部分が大であるが、従来を総て否定する事無く、１日１度は従来の習慣に習った歯磨きを実行するのも良い。
が、従来の歯磨き習慣を総て止めて本発明の歯ブラシによる歯磨きだけを実行しただけで従来の歯ブラシを使用する歯磨き習慣を実施するより、数倍健康な歯を維持できる。
従来に比べ、シンプルな山形整毛はフィットするから歯磨きに無駄がなくポイントブラッシングが行え、歯がいつも清清しく健康になる。食事が楽しくなり、何時でも何処でも、そこが砂漠の真只中や宇宙船の中においても、歯磨き剤や水を使用しないから其の時その場で歯を磨ける。
健康的生活文化の大改革になり、本発明の歯ブラシの製法は簡単であり、安価な大量生産にも適している。提供する効果は大である。
【発明を実施するための最良の形態】
【０００８】  図と実施例に示す歯ブラシは何れも最良の形態である。柄の端に少しの毛束を植毛し、植毛した毛先を左右から中央に山形に整毛しただけの誠にシンプルな歯ブラシであるが、毛先を容易に鋏みでカット整毛して再利用ができる歯ブラシでもあり、シンプルで携帯に便利であり、山形整毛は歯にフィットするから歯磨きに無駄がなく、磨きたいポイントのブラッシングが行え、歯がいつも清清しく健康になる。
食事が楽しくなり、何時でも何処でも、砂漠の真只中や宇宙船の中においても歯磨き剤や水を使用しなくて使える。食後歯を汚したら必ず磨いていると、歯疾患を予防でき食事も美味しいから健康にも著しく良い。
【実施例１】
【０００９】  図１は、歯ブラシ縦長柄平面植毛側端の幅１１ｍｍ取手柄側の幅８ｍｍ（両端から次第に中程は狭く５ｍｍ）長サ７０ｍｍ厚サ３ｍｍのプラスチック板の植毛側端平面に横列３個の植毛穴を設けて一方の取手側には接続孔３を設ける。植毛穴に柄上長サ９ｍｍの毛束を植毛、植毛した３束ブラシ１の毛先は長い中央植毛束から短い左右の植毛束になだらかな山形に切り揃え山形整毛２にした。該歯ブラシが使用する過程で毛先が曲がってきたら、鋏みで邪魔な毛をカットし、ブラシ全体をバランス良くカットしながら整える事により歯ブラシとして数回再利用でき、毛先を極端に短くした歯ブラシは歯茎マッサージ用の歯ブラシに適した。
【実施例２】
【００１０】  図２は、図１と同じサイズのプラスチック板に、柄上長サ９ｍｍの毛束を横３穴と横中央下１穴に植毛した４束ブラシ４にし、次は横３列の中央植毛束から左右の植毛束の毛先を山形に切り揃えて、ブラシの毛先を山形整毛５にし、柄の一方の端には接続孔３を設けた歯ブラシを作り、使用する過程で毛先が曲がってきたら、鋏みで邪魔な毛をカットしながら、曲がった毛先や毛先全体のバランス調整を行える歯ブラシとして数回再利用でき、毛先を極端に短くした歯ブラシは歯茎マッサージ用の歯ブラシに適した。
【実施例３】
【００１１】  取手柄６を作り請求項１．２の接続孔３と接続した、歯ブラシである。使用する過程で毛先が曲がってきたら、鋏みで邪魔な毛をカットしながら、曲がった毛先や毛先全体のバランス調整を行える歯ブラシとして数回再利用でき、毛先を極端に短くした歯ブラシは歯茎マッサージ用の歯ブラシに適した。
【産業上の利用可能性】
【００１２】  素材の柄はプラスチックの方が量産に適し安価であるが、資源や風合を考慮すると竹や木を使うのも良い。ブラシの毛もプラスチックが量産に適しているが、獣の毛を使うのも良い。生産原価は安価であり、物も小さく、変質しないから流通管理が容易である。
安価で簡便に使えて健康に良い物であるから、従来にない新製品では在るが、徐々に商品力が認められる。
産業として立ち上げてもリスクが少なくい、成功の可能性も極めて大きい。レストランや食堂、弁当屋から纏まった需要が期待される上、扱い方がシンプルであり、保存と携行に問題が無い安価であるなどの点を考慮すると、あらゆる世代の人々、健常者から非健常者、入院の寝たきり患者の方々にも福音となる。従来に無いトレンディーな魅力があり生活必需品でも在るから、消費者のニーズに適合する新商品として、全国の隅々にまで流通させる事も容易である。
【図面の簡単な説明】
【００１３】
【図１】  プラスチック板上の端にブラシ毛を横列３束植毛し、山形に整毛した歯ブラシの略斜視図である（実施例１）
【図２】  図１の歯ブラシ中央の植毛束の下に１束植毛を加え、山形に整毛した歯ブラシの略斜視図である（実施例２）
【符号の説明】
【００１４】      １            ３束ブラシ横１列毛
２．５        山形整毛
３            接続孔
４            ４束ブラシ
６            繋ぎ柄
【図１】
2006116283.tif 000003
【図２】
2006116283.tif 000004
【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
歯ブラシ縦長柄の平らな端植毛部に、設けた横列３個の植毛穴に毛束を植毛した３束ブラシ（１）を作り、次に３束ブラシ（１）の中央植毛束から左右の植毛束の毛先を山形に切り揃えて、ブラシの毛先を山形整毛（２）にしたミニ歯ブラシ（３）を作り、該ミニ歯ブラシ（３）に歯間ブラシや爪楊枝の機能を加えた歯ブラシの装置、並びに該ミニ歯ブラシの製法。                      
【請求項２】
歯ブラシ縦長柄の平らな端に、請求項１のミニ歯ブラシ（３）に在る３束ブラシ（１）横列３個の山形中央の毛束より縦列、柄側下に植毛穴１個を設け、横列中央の毛束と同じ程度の長さに毛束を植毛整毛して成る４束ブラシ（４）にして成る、４束ミニ歯ブラシ（５）を作り、該４束ミニ歯ブラシ（５）に歯間ブラシや爪楊枝の機能を加えた歯ブラシの装置、並びに該ミニ歯ブラシの製法。
【手続補正３】
【補正対象書類名】図面
【補正対象項目名】全図
【補正方法】変更
【補正の内容】
【書類名】図面    【図１】2006116283.tif 000005
【図２】2006116283.tif 000006